(57)【要約】【課題】バッテリ状態に基づいて最適なバッテリ充電を行うことで、車両のバッテリ劣化を効果的に抑制することができるエコラン制御装置を提供する。【解決手段】エコランＥＣＵ１０は、車両のアイドリングストップ回数、アイドリングストップ時間、鉛バッテリ３０の放電量、電圧降下量、バッテリＳＯＣ、補充電実行回数の少なくとも一つに基づいて鉛バッテリ３０の劣化具合を認識し、劣化具合が所定の値に達した際に、遅滞なく鉛バッテリ３０に対し高電圧・低電流でのリフレッシュ充電の実行を指示することにより、エコラン制御中のバッテリ過放電によって鉛バッテリ３０の電極へ付着した硫酸鉛を効果的に除去することができる。よって、エコラン制御を実施する車両のバッテリ電極へのサルフェーション発生を抑制することができ、その結果、バッテリの劣化を効果的に抑制することができる。【選択図】  図３
2010247556.tif 000002
【特許請求の範囲】
【請求項１】
所定の停止条件が成立するとエンジンを自動で停止するとともに、所定の再始動条件が成立すると停止した前記エンジンを再始動するアイドリングストップ制御を行うエコラン制御装置であって、
前記アイドリングストップ制御の実施回数を検出するアイドリングストップ回数検出手段と、
前記アイドリングストップ回数検出手段により検出されたアイドリングストップ回数の積算値が所定のしきい値に達した場合に、車両の走行中に充電可能な電圧値よりも高い電圧値にて前記バッテリを強制充電するバッテリ制御手段と、
を備えることを特徴とするエコラン制御装置。
【請求項２】
所定の停止条件が成立するとエンジンを自動で停止するとともに、所定の再始動条件が成立すると停止した前記エンジンを再始動するアイドリングストップ制御を行うエコラン制御装置であって、
前記アイドリングストップ制御の実施時間を検出するアイドリングストップ時間検出手段と、
前記アイドリングストップ時間検出手段により検出されたアイドリングストップ時間の積算値が所定のしきい値に達した場合に、車両の走行中に充電可能な電圧値よりも高い電圧値にて前記バッテリを強制充電するバッテリ制御手段と、
を備えることを特徴とするエコラン制御装置。
【請求項３】
前記アイドリングストップ時間検出手段は、前記車両のアイドリングストップ制御中における電装品の駆動状況によって、検出したアイドリングストップ時間を補正することを特徴とする請求項２記載のエコラン制御装置。
【請求項４】
所定の停止条件が成立するとエンジンを自動で停止するとともに、所定の再始動条件が成立すると停止した前記エンジンを再始動するアイドリングストップ制御を行うエコラン制御装置であって、
前記アイドリングストップ制御中において放電量検出手段によって検出されるバッテリ放電量を積算し、前記バッテリ放電量の積算値が所定のしきい値に達した場合に、車両の走行中に充電可能な電圧値よりも高い電圧値にて前記バッテリを強制充電するバッテリ制御手段と、
を備えることを特徴とするエコラン制御装置。
【請求項５】
前記放電量検出手段が検出するバッテリ放電量は、前記車両に備えられる電装品がアイドリングストップ制御中に消費する電流量と、前記車両に備えられるスタータがエンジン再始動時に消費する電流量との和であることを特徴とする請求項４記載のエコラン制御装置。
【請求項６】
所定の停止条件が成立するとエンジンを自動で停止するとともに、所定の再始動条件が成立すると停止した前記エンジンを再始動するアイドリングストップ制御を行うエコラン制御装置であって、
前記アイドリングストップ制御中において電圧降下量検出手段によって検出されるバッテリの電圧降下量が所定のしきい値に達した場合に、車両の走行中に充電可能な電圧値よりも高い電圧値にて前記バッテリを強制充電するバッテリ制御手段と、
を備えることを特徴とするエコラン制御装置。
【請求項７】
所定の停止条件が成立するとエンジンを自動で停止するとともに、所定の再始動条件が成立すると停止した前記エンジンを再始動するアイドリングストップ制御を行うエコラン制御装置であって、
車両に搭載されたバッテリの蓄電量を回復させるために実行される補充電の実行回数を検出する補充電実行回数検出手段と、
前記補充電実行回数検出手段により検出された補充電実行回数の積算値が所定のしきい値に達した場合に、車両の走行中に充電可能な電圧値よりも高い電圧値にて前記バッテリを強制充電するバッテリ制御手段と、
を備えることを特徴とするエコラン制御装置。
【請求項８】
所定の停止条件が成立するとエンジンを自動で停止するとともに、所定の再始動条件が成立すると停止した前記エンジンを再始動するアイドリングストップ制御を行うエコラン制御装置であって、
車両に搭載されたバッテリの状態量を検出するバッテリ状態量検出手段と、
前記車両が実施するアイドリングストップ制御の履歴情報を検出するアイドリングストップ履歴情報検出手段と、
前記アイドリングストップ制御により前記バッテリが受けた影響度を、前記バッテリ状態量検出手段と前記アイドリングストップ履歴情報検出手段との少なくとも一方に基づいて数値化する影響度数値化手段と、
前記影響度数値化手段により数値化された数値の積算値が所定のしきい値に達した場合に、車両の走行中に充電可能な電圧値よりも高い電圧値にて前記バッテリを強制充電するバッテリ制御手段と、
を備えることを特徴とするエコラン制御装置。
【請求項９】
前記バッテリ状態量検出手段が検出するバッテリ状態量は、前記バッテリが放電するバッテリ放電量と、前記バッテリの電圧降下量と、前記バッテリのＳＯＣ（Ｓｔａｔｅ  Ｏｆ  Ｃｈａｒｇｅ）降下量との少なくとも一つであり、
前記アイドリングストップ履歴情報検出手段が検出するアイドリングストップ履歴情報は、前記車両が実施するアイドリングストップの時間であることを特徴とする請求項８記載のエコラン制御装置。
【請求項１０】
前記バッテリ制御手段が前記バッテリへの強制充電を実行するか否かを判断するための前記バッテリ状態量検出手段の検出結果と、前記アイドリングストップ履歴情報検出手段の検出結果は、前記バッテリの使用状況に応じて補正されることを特徴とする請求項８又は９記載のエコラン制御装置。
【発明の詳細な説明】
【技術分野】
【０００１】
本発明は、エコラン制御装置に関する。特に、車両に搭載されるバッテリの劣化を抑制する技術に関する。
【背景技術】
【０００２】
車両の燃費改善、および排気ガスの排出量を抑制することを目的として、所定のエンジン停止条件が成立するとエンジンを停止し、その後、所定のエンジン始動条件が成立するとエンジンを再始動させるエコラン制御が広く適用されている。
【０００３】
エコラン制御を実施する車両として、エンジン全般の制御を司るエンジンＥＣＵ（Ｅｌｅｃｔｒｏｎｉｃ  Ｃｏｎｔｒｏｌ  Ｕｎｉｔ：電子制御ユニット）と、エコラン制御を司るエコランＥＣＵとを備えたものが知られている。エコランＥＣＵは、車両が停止し、エコラン制御可能な状態になると、エンジンＥＣＵに対してエコラン要求を出力する。エンジンＥＣＵは、エコラン要求を受け付けると、燃料カットを実施し、エンジンを停止させる。
【０００４】
また、エンジンの始動時には、エコランＥＣＵがドライバの始動操作（シフト操作、ブレーキ操作、クラッチ操作など）を検出し、エンジンの始動要求をエンジンＥＣＵに送信する。エンジンＥＣＵは、エンジンの回転数などの情報から、スタータモータによるエンジン駆動が必要であるか否かを判定する。スタータモータによるエンジン始動が必要であると判定すると、エンジンＥＣＵはエコランＥＣＵに対してスタータ駆動許可信号を出力する。エンジンＥＣＵからスタータ駆動許可信号を入力したエコランＥＣＵは、スタータモータを駆動してエンジンを始動させる。
【０００５】
ところで、車両に搭載されるバッテリは、車両の各電装品へ供給する電力がオルタネータおよび回生モータの発電する電力を超えた場合に、不足分の電力を車両の各電装品へと供給する役割を担っている。しかしながら、エコラン制御を実施する車両のオルタネータおよび回生モータは、車両のエコラン制御中はエンジンが停止するために発電することができずに、電装品やバッテリへ電力を供給することができない。一方、エコラン制御中においてもエンジンＥＣＵ、エアコン等の電装品は電力を消費しており、特にアイドリングストップ中からエンジンを再始動させる際のスタータ駆動は大電力を消費する。このように、各電装品やスタータがエコラン制御中に消費する電力を供給するために、バッテリはアイドリングストップのたびに深い放電（過放電）を繰り返すことになり、その結果、通常の車両よりもバッテリの放電量が増加することになる。
【０００６】
車両用に一般的に用いられる鉛バッテリは、正極に二酸化鉛（ＰｂＯ２）、負極に海綿状鉛（Ｐｂ）、電解液として希硫酸（Ｈ２ＳＯ４）を用いた二次電池である。鉛バッテリの放電時および充電時の化学反応は以下のとおりである。
【０００７】
［放電時］
正極：ＰｂＯ２＋４Ｈ＋＋ＳＯ４２− ＋２ｅ− → ＰｂＳＯ４＋２Ｈ２Ｏ  
負極：Ｐｂ＋ＳＯ４２− → ＰｂＳＯ４＋２ｅ− 
［充電時］
正極：ＰｂＳＯ４＋２Ｈ２Ｏ → ＰｂＯ２＋４Ｈ＋＋ＳＯ４２− 
負極：ＰｂＳＯ４＋２ｅ− → Ｐｂ＋ＳＯ４２−
【０００８】
上記のように、鉛バッテリの放電時には正極および負極に硫酸鉛（ＰｂＳＯ４）が発生する。これを放置すると、バッテリの正極板および負極板に硫酸鉛の結晶が析出するサルフェーション（白色硫酸鉛化）が発生し、バッテリ極板の表面積が減少し、かつバッテリ内部抵抗が増加することでバッテリの絶対容量が著しく低下する。このように、サルフェーションが発生した鉛バッテリは、極板に析出した硫酸鉛が電気を通さないために充放電のサイクルを実施できず、よってバッテリの性能が劣化してしまう。特に、サルフェーションはバッテリが過放電を繰り返すことで発生し易くなる。
【０００９】
そのため、エコラン制御を実施する車両のバッテリは、通常の車両のバッテリよりも過放電を繰り返すことから、よりサルフェーションが発生し易いといった問題点がある。
【００１０】
このようなエコラン制御を実施する車両のバッテリ性能劣化を抑制するために、定期的にバッテリを高電圧、長時間で強制的に充電させるリフレッシュ充電を実行することで、正極および負極板やバッテリ内部に析出した硫酸鉛の結晶を分解除去する技術が特許文献１に開示されている。
【００１１】
また、バッテリＳＯＣ（Ｓｔａｔｅ  Ｏｆ  Ｃｈａｒｇｅ）が所定値を下回った時間が一定時間を超えた場合に、または所定値を下回った回数が一定回数を超えた場合にリフレッシュ充電を実行することで、バッテリの過放電を抑制してサルフェーションによる劣化を防ぐバッテリ制御方法についての技術が、特許文献２、特許文献３に開示されている。
【００１２】
そして、上記リフレッシュ充電と類似したバッテリへの強制的な充電（補充電）を所定条件ごとに実行し、バッテリの充電率を常に所定値以上に保つことでサルフェーションの発生を抑えることもできるが、このようなバッテリ補充電やリフレッシュ充電の実行中にエコラン制御が実施されると、オルタネータの発電が停止するため、バッテリへの充電を継続できずに補充電やリフレッシュ充電が中断されてしまう。そこで、車両のアイドリングストップ実施中にバッテリ補充電の実行を禁止することができるバッテリ制御方法についての技術が特許文献４に開示されている。逆に、バッテリ補充電の実行中に車両のアイドリングストップを禁止することができる技術が特許文献５に開示されている。
【先行技術文献】
【特許文献】
【００１３】
【特許文献１】特開平５−３１６６６６号公報
【特許文献２】特開２００１−３３８６９６号公報
【特許文献３】特開２００４−１８６０８７号公報
【特許文献４】特開２００１−２６８８０６号公報
【特許文献５】特開２００４−２４８４０５号公報
【発明の概要】
【発明が解決しようとする課題】
【００１４】
ここで、サルフェーションが発生したバッテリの機能を回復させるためには、バッテリに低電流、高電圧で長時間のリフレッシュ充電を行う必要がある。しかしながら、特許文献１〜４のリフレッシュ充電および補充電は、これら強制充電の実行中にアイドリングストップ条件がそろうと強制充電が中断され、アイドリングストップ終了後に再び最初から強制充電を行わなければならないため、強制充電を効率よく行うことが困難であるといった問題点がある。一方、特許文献５の技術の場合、例えばバッテリ性能回復直後などの劣化具合が少ない場合でも、アイドリングストップ中に補充電の実行条件がそろうと、アイドリングストップが中断されて不必要な補充電が実行されてしまう、といった問題点がある。このように、従来の技術では、エコラン制御を実施する車両のバッテリ性能を効率よく回復させるための最適な強制充電を行うことが困難である、といった問題がある。
【００１５】
本発明は、かかる点に鑑みてなされたものであり、バッテリ状態に基づいて最適なバッテリ充電を行うことで、車両のバッテリ劣化を効果的に抑制することができるエコラン制御装置を提供することを目的とする。
【課題を解決するための手段】
【００１６】
上記目的を達成するために、本発明のエコラン制御装置は、所定の停止条件が成立するとエンジンを自動で停止するとともに、所定の再始動条件が成立すると停止した前記エンジンを再始動するアイドリングストップ制御を行うエコラン制御装置であって、前記アイドリングストップ制御の実施回数を検出するアイドリングストップ回数検出手段と、前記アイドリングストップ回数検出手段により検出されたアイドリングストップ回数の積算値が所定のしきい値に達した場合に、車両の走行中に充電可能な電圧値よりも高い電圧値にて前記バッテリを強制充電するバッテリ制御手段と、を備えることを特徴とする。
【００１７】
特に、本発明のエコラン制御装置は、所定の停止条件が成立するとエンジンを自動で停止するとともに、所定の再始動条件が成立すると停止した前記エンジンを再始動するアイドリングストップ制御を行うエコラン制御装置であって、前記アイドリングストップ制御の実施時間を検出するアイドリングストップ時間検出手段と、前記アイドリングストップ時間検出手段により検出されたアイドリングストップ時間の積算値が所定のしきい値に達した場合に、車両の走行中に充電可能な電圧値よりも高い電圧値にて前記バッテリを強制充電するバッテリ制御手段と、を備えることを特徴とする。
【００１８】
また、本発明のエコラン制御装置は、前記アイドリングストップ時間検出手段が、前記車両のアイドリングストップ制御中における電装品の駆動状況によって、検出したアイドリングストップ時間を補正することを特徴とすることができる。
【００１９】
そして、本発明のエコラン制御装置は、所定の停止条件が成立するとエンジンを自動で停止するとともに、所定の再始動条件が成立すると停止した前記エンジンを再始動するアイドリングストップ制御を行うエコラン制御装置であって、前記アイドリングストップ制御中において放電量検出手段によって検出されるバッテリ放電量を積算し、前記バッテリ放電量の積算値が所定のしきい値に達した場合に、車両の走行中に充電可能な電圧値よりも高い電圧値にて前記バッテリを強制充電するバッテリ制御手段と、を備えることを特徴とする。
【００２０】
更に、本発明のエコラン制御装置は、前記放電量検出手段が検出するバッテリ放電量が、前記車両に備えられる電装品がアイドリングストップ制御中に消費する電流量と、前記車両に備えられるスタータがエンジン再始動時に消費する電流量との和であることを特徴とすることができる。
【００２１】
また、本発明のエコラン制御装置は、所定の停止条件が成立するとエンジンを自動で停止するとともに、所定の再始動条件が成立すると停止した前記エンジンを再始動するアイドリングストップ制御を行うエコラン制御装置であって、前記アイドリングストップ制御中において電圧降下量検出手段によって検出されるバッテリの電圧降下量が所定のしきい値に達した場合に、車両の走行中に充電可能な電圧値よりも高い電圧値にて前記バッテリを強制充電するバッテリ制御手段と、を備えることを特徴とする。
【００２２】
そして、本発明のエコラン制御装置は、所定の停止条件が成立するとエンジンを自動で停止するとともに、所定の再始動条件が成立すると停止した前記エンジンを再始動するアイドリングストップ制御を行うエコラン制御装置であって、車両に搭載されたバッテリの蓄電量を回復させるために実行される補充電の実行回数を検出する補充電実行回数検出手段と、前記補充電実行回数検出手段により検出された補充電実行回数の積算値が所定のしきい値に達した場合に、車両の走行中に充電可能な電圧値よりも高い電圧値にて前記バッテリを強制充電するバッテリ制御手段と、を備えることを特徴とする。
【００２３】
更に、本発明のエコラン制御装置は、所定の停止条件が成立するとエンジンを自動で停止するとともに、所定の再始動条件が成立すると停止した前記エンジンを再始動するアイドリングストップ制御を行うエコラン制御装置であって、車両に搭載されたバッテリの状態量を検出するバッテリ状態量検出手段と、前記車両が実施するアイドリングストップ制御の履歴情報を検出するアイドリングストップ履歴情報検出手段と、前記アイドリングストップ制御により前記バッテリが受けた影響度を、前記バッテリ状態量検出手段と前記アイドリングストップ履歴情報検出手段との少なくとも一方に基づいて数値化する影響度数値化手段と、前記影響度数値化手段により数値化された数値の積算値が所定のしきい値に達した場合に、車両の走行中に充電可能な電圧値よりも高い電圧値にて前記バッテリを強制充電するバッテリ制御手段と、を備えることを特徴とする。
【００２４】
また、本発明のエコラン制御装置は、前記バッテリ状態量検出手段が検出するバッテリ状態量が、前記バッテリが放電するバッテリ放電量と、前記バッテリの電圧降下量と、前記バッテリのＳＯＣ（Ｓｔａｔｅ  Ｏｆ  Ｃｈａｒｇｅ）降下量との少なくとも一つであり、前記アイドリングストップ履歴情報検出手段が検出するアイドリングストップ履歴情報が、前記車両が実施するアイドリングストップの時間であることを特徴とすることができる。
【００２５】
そして、本発明のエコラン制御装置は、前記バッテリ制御手段が前記バッテリへの強制充電を実行するか否かを判断するための前記バッテリ状態量検出手段の検出結果と、前記アイドリングストップ履歴情報検出手段の検出結果が、前記バッテリの使用状況に応じて補正されることを特徴とすることができる。
【発明の効果】
【００２６】
本発明のエコラン制御装置によれば、エコラン制御中のバッテリ状態情報およびアイドリングストップ履歴情報に基づいて、バッテリ性能回復のための最適な充電をすることができるため、エコラン制御装置を搭載する車両のバッテリ劣化を効果的に抑制することができる。
【図面の簡単な説明】
【００２７】
【図１】車両制御システムの概略構成を示した説明図である。
【図２】エコランＥＣＵのマイコンのハードウェア構成を示した説明図である。
【図３】実施例１のエコランＥＣＵが行う制御のフローを示している。
【図４】エコランＥＣＵが指示するリフレッシュ充電の概略を示した説明図である。
【図５】実施例１のエコランＥＣＵが行う制御のフローを示している。
【図６】鉛バッテリの経時劣化としきい値との関係の一例を示している。
【図７】実施例２のエコランＥＣＵが行う制御のフローを示している。
【図８】実施例２のエコランＥＣＵが行う制御のフローを示している。
【図９】バッテリ液温度と放電量しきい値との相関を示している。
【図１０】鉛バッテリ放電量の補正係数の一例を示している。
【図１１】実施例３のエコランＥＣＵが行う制御のフローを示している。
【図１２】各電装品の使用状況に基づくアイドリングストップ時間の補正の一例を示している。
【図１３】各パラメータが鉛バッテリに与える影響をポイント化した一例を示している。
【図１４】実施例３のエコランＥＣＵが行う制御のフローを示している。
【図１５】実施例４のエコランＥＣＵが行う制御のフローを示している。
【図１６】実施例４のエコランＥＣＵが行う制御のフローを示している。
【発明を実施するための形態】
【００２８】
以下、本発明を実施するための形態を図面と共に詳細に説明する。
【００２９】
なお、本明細書におけるエコの定義として、エコノミーとエコロジーの両方、又はいずれか一方の意味を持つものとする。エコノミーとは、燃料の消費を抑えて燃料を節約（省燃費）することを意味する。また、エコロジーとは、化石燃料の消費を抑えたり、又は化石燃料の燃焼などによって生じる有害物質や二酸化炭素の発生および排出を抑えたりすることを意味する。
【実施例１】
【００３０】
本発明の実施例１について図面を参照しつつ説明する。図１は、本発明のエコラン制御装置を組み込んだ車両制御システム１の概略構成を示した説明図である。
【００３１】
図１に示す車両制御システム１は、エコランＥＣＵ（Ｅｌｅｃｔｒｏｎｉｃ  Ｃｏｎｔｒｏｌ  Ｕｎｉｔ）１０、エンジンＥＣＵ２１、メータＥＣＵ２２、ボディＥＣＵ２３、ブレーキＥＣＵ２４、電動パワーステアリングＥＣＵ２５、エアコンＥＣＵ２６、オーディオＥＣＵ２７、ライトＥＣＵ２８等の複数のＥＣＵが通信バスに接続されている。これら複数のＥＣＵは、オルタネータ１８および鉛バッテリ３０からの電力を受けて稼動し、ＣＡＮ（Ｃｏｎｔｒｏｌｌｅｒ  Ａｒｅａ  Ｎｅｔｗｏｒｋ）等の通信プロトコルに従って通信を行う。また、上記複数のＥＣＵは、キースイッチ１４、ニュートラルスイッチ１５、スタータリレイ１６、およびスタータモータ１７とともに配線１３によって鉛バッテリ３０に接続している。また、鉛バッテリ３０は、バッテリの電圧、放電量を検出する電圧計３１および電流計３２を備えている。
【００３２】
エンジンＥＣＵ２１は、エンジンへの燃料噴射量を電子的に制御するＥＦＩ（Ｅｌｅｃｔｒｏｎｉｃ  Ｆｕｅｌ  Ｉｎｊｅｃｔｉｏｎ）に接続してエンジン出力を制御し、車両の走行スピードを調整する。また、エンジンＥＣＵ２１は、エンジンの回転数がアイドル回転であった場合には、エコランＥＣＵ１０にエンジン停止許可信号を出力する。そして、エンジンＥＣＵ２１は、エコランＥＣＵ１０からの燃料カット要求に応じて、エンジンへの燃料供給をカットする。更に、エコランＥＣＵ１０から燃料カット解除要求が出力されると、この要求に応じてエンジンに燃料を供給する。
【００３３】
メータＥＣＵ２２は、各種センサ（図示しない）からの検出信号を受け取り、各種演算等を実行することで車速表示、エンジン回転数表示、シフト位置表示、燃料残量表示、水温表示等の表示を行うための出力を発生させる。
【００３４】
ボディＥＣＵ２３は、ドアロック機構やパワーウィンドウ機構等の車両に搭載された機構を制御する。
【００３５】
ブレーキＥＣＵ２４は、ディスクブレーキやドラムブレーキ等のブレーキを作動させて、車両の減速や停止などを電子的に制御する。
【００３６】
電動パワーステアリングＥＣＵ２５は、回転角センサから送られる操作レバーの回転角の量に応じて操舵装置の駆動モータを駆動制御する。
【００３７】
エアコンＥＣＵ２６は、ドライバの要求や車両の走行状態等に基づいてコンプレッサを駆動して車内の空調制御を実施する。
【００３８】
オーディオＥＣＵ２７は、搭乗者の要求や車両の騒音等に基づき、搭乗者が音声を聴き易いようにオーディオ機器の制御を実施する。
【００３９】
ライトＥＣＵ２８は、ドライバの要求や車両の走行状態等に基づいてライトの点灯および消灯や照射強度、角度の制御を実施する。
【００４０】
エコランＥＣＵ１０は、エンジンＥＣＵ２１や図示しない他の各種センサ等からエンジン停止条件及びエンジン始動条件を判断するための情報を受け取り、エンジンの運転時にエンジン停止条件が成立するとエンジンを自動停止させ、エンジンの停止時にエンジン始動条件が満たされるとスタータモータ１７を起動させてエンジンを始動させるエコラン制御を実行する。また、エコランＥＣＵ１０は、各種センサからの信号を入力する入力端子を備え、この入力端子からブレーキが作動状態であることを示すブレーキ信号、変速機のシフトポジションを示すシフト信号、車速を示す車速信号、アクセルの開度を示すアクセル開度信号、エンジンの回転数を示すエンジン回転数信号、エンジンの冷却水の温度を示すエンジン水温信号、外気温センサによって測定された外気温等を入力する。
【００４１】
エコランＥＣＵ１０は、エンジンの再始動が必要であると判定すると、エンジンＥＣＵ２１にスタータモータ１７によるエンジンの駆動を要求する。エンジンＥＣＵ２１は、エンジンの回転数に応じて、エコランＥＣＵ１０からのスタータ駆動要求を許可するか否かを判定する。エコランＥＣＵ１０は、エンジンＥＣＵ２１からスタータ駆動を許可する許可信号を受信すると、トランジスタ１２をオンさせる。キースイッチ（以下、キーＳＷと略記する）１４、ニュートラルスイッチ（以下、ニュートラルＳＷと略記する）１５、スタータリレイ１６が接続された配線１３には、トランジスタ１２を介してバッテリからの電源ライン１１が接続されている。エコランＥＣＵ１０のマイコン７０によってトランジスタ１２がオンされると、スタータリレイ１６のコイルが通電し、スタータリレイ１６がオンする。スタータリレイ１６がオンするとスタータモータ１７にバッテリからの電力が供給され、スタータモータ１７の作動によりエンジンが始動する。
【００４２】
更に、エコランＥＣＵ１０は、電圧計３１、電流計３２等の各検出手段の検出結果に基づき、鉛バッテリ３０が過放電によって劣化しないようなバッテリ制御、およびエコラン制御中の過放電によるバッテリ性能劣化を回復させるためのリフレッシュ充電の制御を実施する。また、エコランＥＣＵ１０は、車両が実施するアイドリングストップ回数をカウントし、エコラン制御の頻度からバッテリ性能劣化具合を認識することで、エコラン制御とバッテリ制御とをバランスよく実施することができる。なお、エコランＥＣＵ１０は、鉛バッテリ３０にリフレッシュ充電を実行させるバッテリ制御手段、および車両のアイドリングストップ回数を検出するアイドリングストップ回数検出手段に相当する。
【００４３】
図２に、エコランＥＣＵ１０のマイコン７０のハードウェア構成を示す。マイコン７０は、ＣＰＵ７１、ＲＯＭ７２、ＲＡＭ７３、ＮＶＲＡＭ（Ｎｏｎ  Ｖｏｌａｔｉｌｅ  ＲＡＭ）７４、入出力部７５等を有している。ＣＰＵ７１は、ＲＯＭ７２に格納したプログラムを読み込んで、このプログラムに従った演算を行う。すなわち、ＲＯＭ７２に格納されたプログラムをＣＰＵ７１が読み込むことで、鉛バッテリ３０が過放電によって劣化しないようなバッテリ制御、およびエコラン制御を実施する。また、ＲＡＭ７３には、演算結果のデータが書き込まれ、ＮＶＲＡＭ７４は、ＲＡＭ７３に書き込まれていたデータで、車両のアイドリングストップ回数のカウント値や積算時間、鉛バッテリ３０の放電量積算値、バッテリ電圧およびＳＯＣ降下量やリフレッシュ充電および補充電実行回数等のバッテリ使用状況など、イグニッションＯＦＦ時に保存の必要なデータが書き込まれる。
【００４４】
図１に示すオルタネータ１８は、ベルト等によりエンジンの回転と同期することで、機械的運動エネルギーを電気エネルギーに変換する。オルタネータ１８は三相交流発電機と整流器からなり、三相交流発電機で発電された交流電力が整流器によって直流電力へと変換され、車両の各電装品および鉛バッテリ３０へと供給される。
【００４５】
鉛バッテリ３０は、正極に二酸化鉛（ＰｂＯ２）、負極に海綿状鉛（Ｐｂ）、電解液として希硫酸（Ｈ２ＳＯ４）を用いた二次電池であり、それらの化学反応によって充放電サイクルを実施する。鉛バッテリ３０は、オルタネータ１８の発電量が各電装品の電力使用量を超える場合に、超えた分の電力を充電してバッテリ内部に蓄電する。そして、鉛バッテリ３０は、エンジンのアイドリングストップ中か、または車両の各電装品の電力使用量がオルタネータ１８の発電量を超える場合に、各電装品を適切に稼動させるためにバッテリ内部に蓄電した電力を放電する。また、鉛バッテリ３０は、エコランＥＣＵ１０の指示に基づき、バッテリＳＯＣ（Ｓｔａｔｅ  Ｏｆ  Ｃｈａｒｇｅ）が低下した場合に補充電を実行することでバッテリ充電率を回復させることができる。更に、鉛バッテリ３０は、エコランＥＣＵ１０の指示に基づき、バッテリ性能の劣化を抑制するためにリフレッシュ充電を実行することでバッテリ性能を回復させることができる。鉛バッテリ３０としては、例えば１２［Ｖ］システムを適用することができるが、４２［Ｖ］システム等の高電圧仕様を適用することもできる。
【００４６】
ここで、鉛バッテリ３０が実行する補充電について説明する。補充電とは、車両の運転中に所定時間が経過した際に、または鉛バッテリ３０が放電することで充電率が所定の値を下回った際に、バッテリ充電率を回復させるために強制的にバッテリ充電を実行させる制御である。リフレッシュ充電と同様に高電圧（例えば１３．８［Ｖ］）で充電するが、リフレッシュ充電が長時間（たとえば３０分以上）かけて高いバッテリ充電率（例えばＳＯＣ＝９４％以上）まで充電するのに対し、補充電は短時間（例えば５分間）でリフレッシュ充電より低い充電率（例えばＳＯＣ＝９２％以上）まで充電する点でリフレッシュ充電と相違している。鉛バッテリ３０の放電量が大きい場合は、すぐに充電率が低下するために補充電が頻繁に行われることから、補充電の実行回数から鉛バッテリ３０の劣化具合を認識することができる。
【００４７】
電圧計３１および電流計３２は、鉛バッテリ３０の電圧、および放電量を検出し、それら検出結果をエコランＥＣＵ１０へと送信する。そして、エコランＥＣＵ１０は、送信された検出結果からバッテリＳＯＣおよび内部抵抗を算出することで、車両のエコラン制御中における鉛バッテリ３０の性能劣化具合を認識することができる。
【００４８】
つづいて、エコランＥＣＵ１０の制御の流れに沿って、車両制御システム１の動作を説明する。図３はエコランＥＣＵ１０の処理の一例を示すフローチャートである。本実施例の車両制御システム１は、車両のアイドリングストップ回数を検出するアイドリングストップ回数検出手段を備え、車両のアイドリングストップ積算回数からエコラン制御中のバッテリ放電量を算出する。更に、車両制御システム１は、バッテリに強制充電を実行するバッテリ制御手段を備えることにより、アイドリングストップ回数検出手段の検出結果に基づき、バッテリのエコラン制御の積算回数が所定の値に達した際に速やかにリフレッシュ充電の実行を指示することで、アイドリングストップ制御中に劣化したバッテリの性能を効果的に回復させることができる。
【００４９】
エコランＥＣＵ１０の制御は、エンジンの始動要求がされると、すなわちイグニッションスイッチがＯＮにされると開始する。まず、エコランＥＣＵ１０はステップＳ１で、車両のアイドリングストップ条件が成立したか否かを判断する。アイドリングストップ条件が成立した場合（ステップＳ１／ＹＥＳ）、エコランＥＣＵ１０は次のステップＳ２へ進む。アイドリングストップ条件が成立していない場合（ステップＳ１／ＮＯ）は、エコランＥＣＵ１０は車両のアイドリングストップ条件が成立するまでステップＳ１の処理を繰り返す。
【００５０】
ステップＳ２で、エコランＥＣＵ１０は、車両のアイドリングストップ要求を検出し、アイドリングストップ回数のカウンタをカウントアップする。エコランＥＣＵ１０はステップＳ２の処理を終えると、つづいてステップＳ３へ進む。
【００５１】
ステップＳ３で、エコランＥＣＵ１０は、アイドリングストップ回数のカウント値が第１しきい値に達したか否かを判断する。ここで、第１しきい値は、鉛バッテリ３０の劣化が懸念されるアイドリングストップの回数を適用し、特に、鉛バッテリ３０が満充電の状態（例えばＳＯＣ＝９４％）からＳＯＣ＝７５％まで放電するのに必要なアイドリングストップ回数を適用することができる。アイドリングストップ回数のカウント値が第１しきい値に達した場合（ステップＳ３／ＹＥＳ）、エコランＥＣＵ１０は鉛バッテリ３０の性能が劣化しているものと判断し、ステップＳ５へ進む。アイドリングストップ回数のカウント値が第１しきい値に達していない場合（ステップＳ３／ＮＯ）は、エコランＥＣＵ１０は次のステップＳ４へ進み、車両のアイドリングストップを実施した後に、ステップＳ７へ進む。
【００５２】
ステップＳ５で、エコランＥＣＵ１０は、鉛バッテリ３０に対してリフレッシュ充電の実行を指示し、そして鉛バッテリ３０は、エコランＥＣＵ１０の指示に基づきリフレッシュ充電を実行する。
【００５３】
ここで、エコランＥＣＵ１０の指示に基づき鉛バッテリ３０が実行するリフレッシュ充電について図面を参照しつつ説明する。図４は、エコランＥＣＵ１０が指示するリフレッシュ充電の概略を示した説明図である。エコランＥＣＵ１０からリフレッシュ充電の実行が指示されると、オルタネータ１８は、車両の通常の走行中に実行するバッテリ充電圧（１２［Ｖ］）よりも高い電圧、例えば１３．８［Ｖ］にて鉛バッテリ３０のリフレッシュ充電を開始する（図４（Ａ））。リフレッシュ充電の開始から終了までの間、電圧計３１は、鉛バッテリ３０の実電圧を検出し（図４（Ｂ））、電流計３２は、鉛バッテリ３０の実電流を検出する（図４（Ｃ））。そしてこれら電圧計３１および電流計３２の検出結果から、エコランＥＣＵ１０は鉛バッテリ３０の充電率（ＳＯＣ）を算出する。リフレッシュ充電が開始されてから、電流計３２の検出結果が±５［Ａ］以内になった時点で、そこから更に電圧１３．８［Ｖ］、電流±５［Ａ］以内で３０分間、鉛バッテリ３０の充電を継続し、これをもってリフレッシュ充電の１サイクルとする。エコランＥＣＵ１０は、鉛バッテリ３０の性能が充分に回復したと考えられるバッテリ充電率（例えばＳＯＣ＝９４％）に到達するまで上記の処理を実行する。
【００５４】
なお、エコランＥＣＵ１０は、リフレッシュ充電の開始から終了までの間は車両のアイドリングストップを禁止する。エンジンがストップすることでオルタネータ１８の発電が停止すると、鉛バッテリ３０が放電モードに移行してしまうため、電圧１３．８［Ｖ］、電流±５［Ａ］以内による充電を３０分間維持することができないからである。
【００５５】
図３のフローに戻り、エコランＥＣＵ１０は、ステップＳ５の処理を終えると、つづいてステップＳ６へ進む。ステップＳ６で、エコランＥＣＵ１０は、エコランＥＣＵ１０の検出結果に基づく車両のアイドリングストップ回数のカウント値を初期化する。この処理によって、鉛バッテリ３０がリフレッシュ充電を実行した直後から新たにアイドリングストップ回数をカウントすることができ、バッテリ性能が回復した後からの鉛バッテリ３０の劣化をより正確に認識することができる。よって、鉛バッテリ３０の性能が劣化する前の状態での不要なリフレッシュ充電の指示を抑制することができる。エコランＥＣＵ１０はステップＳ６の処理を終えると、次のステップＳ７へ進む。
【００５６】
ステップＳ７で、エコランＥＣＵ１０は、イグニッションＯＦＦの要求があるか否かについて判断する。イグニッションＯＦＦの要求がある場合（ステップＳ７／ＹＥＳ）、エコランＥＣＵ１０は次のステップＳ８に進む。イグニッションＯＦＦの要求がない場合（ステップＳ７／ＮＯ）は、エコランＥＣＵ１０はステップＳ１に戻り、上記の処理を繰り返す。
【００５７】
ステップＳ８で、エコランＥＣＵ１０は、ステップＳ５にて初期化された以降の車両のアイドリングストップ回数カウント値、および鉛バッテリ３０の使用状況をＮＶＲＡＭ７４に保存して、制御の処理を終了する。
【００５８】
次に、本実施例１の車両制御システム１は、バッテリ使用状況に応じてリフレッシュ充電実行のしきい値を補正することができるため、バッテリの経時劣化を考慮した最適なタイミングでリフレッシュ充電を実行することができる。図５はエコランＥＣＵ１０の処理の一例を示すフローチャートである。エコランＥＣＵ１０の制御は、エンジンの始動要求がされると、すなわちイグニッションスイッチがＯＮにされると開始する。まず、エコランＥＣＵ１０はステップＳ９で、鉛バッテリ３０の状況を検出する。エコランＥＣＵ１０はステップＳ９の処理を終えると、次のステップＳ１０へ進む。
【００５９】
ステップＳ１０で、エコランＥＣＵ１０は、鉛バッテリ３０が実行したリフレッシュ充電の実行回数が第２しきい値に達するか否かを判断する。ここで、第２しきい値は、鉛バッテリ３０の経時劣化が懸念されるリフレッシュ充電の実行回数を適用することができる。鉛バッテリ３０が実行したリフレッシュ充電の実行回数が第２しきい値に達する場合（ステップＳ１０／ＹＥＳ）、エコランＥＣＵ１０はステップＳ１２へ進む。鉛バッテリ３０が実行したリフレッシュ充電の実行回数が第２しきい値に達しない場合（ステップＳ１０／ＮＯ）は、エコランＥＣＵ１０は次のステップＳ１１へ進む。
【００６０】
ステップＳ１１で、エコランＥＣＵ１０は、鉛バッテリ３０の使用期間が第３しきい値に達するか否かを判断する。ここで、第３しきい値は、鉛バッテリ３０の経時劣化が懸念されるバッテリ試用期間を適用することができる。鉛バッテリ３０の使用期間が第３しきい値に達する場合（ステップＳ１１／ＹＥＳ）、エコランＥＣＵ１０は次のステップＳ１２へ進む。鉛バッテリ３０の使用期間が第３しきい値に達しない場合（ステップＳ１１／ＮＯ）は、エコランＥＣＵ１０はステップＳ１３へ進む。
【００６１】
ステップＳ１２で、エコランＥＣＵ１０は、鉛バッテリ３０が実行したリフレッシュ充電の実行回数および鉛バッテリ３０の使用期間に基づいて、リフレッシュ充電を実行する判断基準となる第１しきい値を補正する。鉛バッテリ３０は、例えば長期間使用したり、多数のリフレッシュ充電が実行されたりすることで、バッテリ性能が徐々に経時劣化する。そのため、第１しきい値をより低い値に補正して、バッテリ経時劣化が進行した鉛バッテリ３０に対してリフレッシュ充電を実行する頻度を高くすることができる（図６参照）。このように、ステップＳ１２の処理を行うことにより、バッテリの経時劣化を考慮した最適なタイミングでリフレッシュ充電を実行できる第１しきい値を設定することができる。この場合、例えば電圧計３１および電流計３２より検出されるバッテリ電圧、放電量から算出されたバッテリ内部抵抗、およびバッテリＳＯＣによって鉛バッテリ３０の経時劣化を確認し、その劣化具合によって第１しきい値を補正することもできる。エコランＥＣＵ１０は、ステップＳ１２の処理を終えると次のステップＳ１３へ進む。
【００６２】
ステップＳ１３で、エコランＥＣＵ１０は、イグニッションＯＦＦの要求があるか否かについて判断する。イグニッションＯＦＦの要求がない場合（ステップＳ１３／ＮＯ）、エコランＥＣＵ１０はステップＳ９に戻り、上記の処理を繰り返す。イグニッションＯＦＦの要求がある場合（ステップＳ１３／ＹＥＳ）、エコランＥＣＵ１０は制御の処理を終了する。
【００６３】
以上のように、本実施例１の車両制御システム１は、車両のアイドリングストップ回数のカウント値に基づき、最適なタイミングで鉛バッテリ３０にリフレッシュ充電を行うことによって、鉛バッテリ３０へのサルフェーション発生を抑制することができる。そのため、エコラン制御を実施する車両に搭載される鉛バッテリの過放電による性能劣化を抑制することができる。
【００６４】
また、本実施例１の車両制御システム１は、鉛バッテリ３０にリフレッシュ充電を実行した直後にアイドリングストップ回数のカウント値を初期化することによって、鉛バッテリ３０がリフレッシュ充電を実行した直後から新たにアイドリングストップ回数をカウントすることができ、バッテリ性能の回復後からの鉛バッテリ３０の劣化をより正確に認識することができる。よって、鉛バッテリ３０の性能が劣化する前の不要なリフレッシュ充電の指示を抑制することができる。
【００６５】
更に、本実施例１の車両制御システム１は、鉛バッテリ３０のリフレッシュ充電実行数、および試用期間に基づいてリフレッシュ充電実行のしきい値を補正することによって、バッテリの経時劣化を考慮した最適なタイミングでリフレッシュ充電を実行することができる。
【００６６】
なお、実施例１のエコランＥＣＵ１０は、アイドリングストップ回数検出手段に変えて、車両のアイドリングストップの時間を検出する手段（アイドリングストップ時間検出手段）を備えることもできる。これにより、車両のアイドリングストップ時間の積算値が所定のしきい値に達した場合に、速やかに鉛バッテリ３０にリフレッシュ充電の実行を指示することで、アイドリングストップ制御中に劣化した鉛バッテリ３０の性能を回復させることもできる。
【実施例２】
【００６７】
次に、本発明の実施例２について説明する。本実施例の車両制御システム２は、実施例１の車両制御システム１とほぼ同様の構成となっているが、車両制御システム２は、バッテリ放電量を検出する放電量検出手段によって検出された車両のアイドリングストップ制御中におけるバッテリ放電量の積算値が所定のしきい値に達した場合に、リフレッシュ充電のタイミングを判断するバッテリ制御手段を備える点で車両制御システム１と相違している。
【００６８】
本実施例の車両制御システム２は、実施例１と同様に車両内部にエコランＥＣＵ１０を備えている。このエコランＥＣＵ１０が、鉛バッテリ３０の放電量に基づいてリフレッシュ充電の実行可否を判断するバッテリ制御手段に相当する。電流計３２は、車両のアイドリングストップ中のバッテリ放電量を検出し、検出結果をエコランＥＣＵ１０へ送信する。エコランＥＣＵ１０はその検出結果を積算し、その積算値がしきい値を超えた際に速やかに鉛バッテリ３０にリフレッシュ充電を実行する。このような構成とすることで、エコラン制御中のバッテリ過放電によって劣化した鉛バッテリの性能を遅滞なく回復させることができる。よって、エコラン制御を実施する車両のバッテリ電極へのサルフェーション発生を抑制することができ、その結果、バッテリの劣化を効果的に抑制することができる。
【００６９】
特に、上記バッテリの放電量は、車両の各電装品がアイドリングストップ中に消費する電流量と、車両に備えられるスタータがエンジン再始動時に消費する電流量との和であることを特徴とする。このような構成とすることにより、エコラン制御中に各電装品が消費する電流量だけでなく、エンジン再始動時のスタータが消費する大電流量を考慮してバッテリのリフレッシュ充電を実施するか否かを決定できる。よって、よりバッテリの過放電を抑制できるバッテリ制御を実現することができ、その結果、バッテリの劣化を効果的に抑制することができる。また、車両制御システム２は鉛バッテリ３０の液温度を測定するバッテリ液温度計を備えている。それによって、リフレッシュ充電を実行するか否かを判断するしきい値を、鉛バッテリ３０の液温度に基づいて補正することができる。
【００７０】
つづいて、エコランＥＣＵ１０の制御の流れに沿って、車両制御システム２の動作を説明する。図７は、エコランＥＣＵ１０の処理の一例を示すフローチャートである。なお、実施例１と同様の処理については、図面中、同一の参照番号を付し、その詳細な説明は省略する。実施例１と同様に、エコランＥＣＵ１０の制御は、エンジンの始動要求がされると、すなわちイグニッションスイッチがＯＮにされると開始する。
【００７１】
まず、エコランＥＣＵ１０はステップＳ１４で、車両のアイドリングストップ中にエンジン始動条件が成立したか否かを判断する。エンジン始動条件が成立した場合（ステップＳ１４／ＹＥＳ）、エコランＥＣＵ１０は次のステップＳ１５へ進む。エンジン始動条件が成立していない場合（ステップＳ１４／ＮＯ）は、エコランＥＣＵ１０は車両のエンジン始動条件が成立するまでステップＳ１４の処理を繰り返す。
【００７２】
ステップＳ１５で、エコランＥＣＵ１０は、アイドリングストップにより停止しているエンジンをスタータモータ１７で始動させる。エコランＥＣＵ１０はステップＳ１５の処理を終えると、つづいてステップＳ１６へ進む。
【００７３】
ステップＳ１６で、エコランＥＣＵ１０は、電流計３２の検出結果に基づいて車両のアイドリングストップ中に鉛バッテリ３０が放電した放電量と、スタータモータ１７を駆動した際の放電量との和を求める。エコランＥＣＵ１０はステップＳ１６の処理を終えると、つづいてステップＳ１７へ進む。
【００７４】
ステップＳ１７で、エコランＥＣＵ１０は、ＲＡＭ７３にバッテリ放電量の和を書き込み、前回のイグニッションＯＦＦ時に保存されたＮＶＲＡＭ７４のデータと合わせた鉛バッテリ３０の放電量積算値を求める。エコランＥＣＵ１０はステップＳ１７の処理を終えると、つづいてステップＳ１８へ進む。
【００７５】
ステップＳ１８で、エコランＥＣＵ１０は、鉛バッテリ３０の放電量積算値が第４しきい値に達したか否かを判断する。ここで、第４しきい値は、鉛バッテリ３０の劣化が懸念される放電量の値を適用し、特に、鉛バッテリ３０が満充電の状態（例えばＳＯＣ＝９４％）からＳＯＣ＝７５％まで低下するのに必要な放電量の値３４５６０［Ａ・ｓｅｃ］を適用することができる。鉛バッテリ３０の放電量積算値が第４しきい値に達している場合（ステップＳ１８／ＹＥＳ）、エコランＥＣＵ１０は鉛バッテリ３０の性能が劣化しているものと判断し、次のステップＳ１９へ進む。鉛バッテリ３０の放電量積算値が第４しきい値に達していない場合（ステップＳ１８／ＮＯ）は、エコランＥＣＵ１０はステップＳ１４へ戻り、上記の処理を繰り返す。
【００７６】
ステップＳ１９で、エコランＥＣＵ１０は、鉛バッテリ３０に対してリフレッシュ充電を指示し、そして鉛バッテリ３０は、エコランＥＣＵ１０の指示に基づきリフレッシュ充電を実行する。なお、エコランＥＣＵ１０が鉛バッテリ３０に対して指示するリフレッシュ充電の制御は、実施例１の車両制御システム１と同一であるため、その詳細な説明は省略する。
【００７７】
エコランＥＣＵ１０は、ステップＳ１９の処理を終えると、つづいてステップＳ２０へ進む。ステップＳ２０で、エコランＥＣＵ１０は、ＲＡＭ７３、ＮＶＲＡＭ７４の保存データおよびエコランＥＣＵ１０の検出結果に基づく鉛バッテリ３０の放電量積算値を初期化する。この処理によって、鉛バッテリ３０がリフレッシュ充電を実行しバッテリ性能が回復した直後から新たにバッテリ放電量の積算値をカウントすることができ、バッテリ性能の回復後に実施されるエコラン制御による鉛バッテリ３０の劣化をより正確に認識することができる。よって、鉛バッテリ３０の性能が回復した状態での不要なリフレッシュ充電の指示を抑制することができる。エコランＥＣＵ１０はステップＳ２０の処理を終えると、次のステップＳ２１へ進む。
【００７８】
ステップＳ２１で、エコランＥＣＵ１０は、イグニッションＯＦＦの要求があるか否かについて判断する。イグニッションＯＦＦの要求がある場合（ステップＳ２１／ＹＥＳ）、エコランＥＣＵ１０は次のステップＳ２２に進む。イグニッションＯＦＦの要求がない場合（ステップＳ２１／ＮＯ）、エコランＥＣＵ１０はステップＳ１４に戻り、上記の処理を繰り返す。
【００７９】
ステップＳ２２で、エコランＥＣＵ１０は、ステップＳ２０にて初期化された以降の鉛バッテリ３０の放電量積算値、鉛バッテリ３０の使用状況をＮＶＲＡＭ７４に保存して、制御の処理を終了する。
【００８０】
次に、本実施例２の車両制御システム２は、バッテリ液温度に応じてリフレッシュ充電実行のしきい値を補正することができるため、バッテリコンディションを考慮した最適なタイミングでリフレッシュ充電を実行することができる。図８はエコランＥＣＵ１０の処理の一例を示すフローチャートである。エコランＥＣＵ１０の制御は、エンジンの始動要求がされると、すなわちイグニッションスイッチがＯＮにされると開始する。まず、エコランＥＣＵ１０はステップＳ２３で、鉛バッテリ３０の状況を検出する。エコランＥＣＵ１０はステップＳ２３の処理を終えると、次のステップＳ２４へ進む。
【００８１】
ステップＳ２４で、エコランＥＣＵ１０は、鉛バッテリ３０に備えられたバッテリ液温度計（図示しない）からバッテリ液温度を検出する。そして、その検出結果から鉛バッテリ３０が劣化しない放電量を算出し、その算出結果に基づいて第４しきい値を補正する。鉛バッテリ３０は、例えば寒冷地で使用したり、夏場に長時間運転したりすることにより、バッテリ液温度が大きく異なることでその性能が変化する。そのため、エコランＥＣＵ１０は、図９に示すテーブルを参照してバッテリ液温度に応じて第４しきい値を補正し、バッテリ性能劣化をより抑制することができる。このように、ステップＳ２４の処理を行うことにより、バッテリの液温度を考慮した最適なタイミングでリフレッシュ充電を実行できる第４しきい値を設定することができる。この場合、実施例１と同様にバッテリ経時劣化も考慮して第４しきい値を補正することもできる。エコランＥＣＵ１０はステップＳ２４の処理を終えると、ステップＳ２５へ進む。
【００８２】
ステップＳ２５で、エコランＥＣＵ１０は、イグニッションＯＦＦの要求があるか否かについて判断する。イグニッションＯＦＦの要求がない場合（ステップＳ２５／ＮＯ）、エコランＥＣＵ１０はステップＳ２３に戻り、上記の処理を繰り返す。イグニッションＯＦＦの要求がある場合（ステップＳ２５／ＹＥＳ）は、エコランＥＣＵ１０は制御の処理を終了する。
【００８３】
以上のように、本実施例２の車両制御システム２は、鉛バッテリ３０の放電量の積算値に基づき、最適なタイミングでリフレッシュ充電を行うことによって鉛バッテリのサルフェーションを抑制することができる。そのため、エコラン制御を実施する車両に搭載される鉛バッテリの過放電による性能劣化を抑制することができる。
【００８４】
また、本実施例２の車両制御システム２は、アイドリングストップ中のバッテリ放電量と、アイドリングストップ中からのエンジン再始動時にスタータモータ１７が消費する放電量との和に基づきバッテリのリフレッシュ充電を実行することができる。よって、よりバッテリの過放電を抑制できるバッテリ制御を実現することができ、その結果、バッテリの劣化を効果的に抑制することができる。
【００８５】
更に、本実施例２の車両制御システム２は、鉛バッテリ３０の液温度を考慮した最適なタイミングでリフレッシュ充電を実行することで、より効果的にバッテリの過放電を抑制できるタイミングでリフレッシュ充電を実行し、エコラン制御中に劣化したバッテリ性能を回復することができる。
【００８６】
なお、実施例２のエコランＥＣＵ１０は、鉛バッテリ３０の放電量の大きさに基づいて放電量検出結果を補正することもできる。鉛バッテリの劣化に対する影響は、バッテリ放電量が大きいほどその影響も大きい。よって、例えば鉛バッテリ３０の劣化に対してより影響度が大きい大放電量のバッテリ放電に対して係数を乗じて補正することで、エコラン制御中のバッテリ過放電による性能劣化をより的確に認識することができ、効果的なタイミングでリフレッシュ充電を実行することができる（図１０参照）。また、実施例２のエコランＥＣＵ１０は、放電量検出手段の検出結果に変えて、アイドリングストップ中におけるバッテリ電圧降下量を検出する手段（電圧降下量検出手段）の検出結果に基づきリフレッシュ充電のタイミングを判断するバッテリ制御手段を備えることもできる。これにより、車両のアイドリングストップ前後の鉛バッテリ３０の電圧降下量が所定のしきい値に達した場合に、速やかに鉛バッテリ３０にリフレッシュ充電の実行を指示することで、アイドリングストップ制御中に劣化した鉛バッテリ３０のバッテリ性能を回復させることもできる。
【実施例３】
【００８７】
続いて、本発明の実施例３について説明する。本実施例の車両制御システム３は、実施例１の車両制御システム１とほぼ同様の構成となっているが、車両制御システム３は、車両制御システム１の各検出手段に加えてバッテリ状態検出手段、アイドリングストップ履歴情報検出手段と、影響度数値化手段とを備える点で車両制御システム１と相違している。
【００８８】
本実施例の車両制御システム３は、実施例１と同様に車両内部にエコランＥＣＵ１０を備えている。このエコランＥＣＵ１０が、鉛バッテリ３０の状態を検出するバッテリ状態検出手段、車両のアイドリングストップ履歴情報を検出するアイドリングストップ履歴情報検出手段、およびこれら検出手段の検出結果から鉛バッテリ３０が受けた影響度を算出して数値化する影響度数値化手段に相当する。電圧計３１および電流計３２は、鉛バッテリ３０の電圧および放電量を検出し、検出結果をエコランＥＣＵ１０へ送信する。エコランＥＣＵ１０はその検出結果に基づいてバッテリ状態情報を検出する。また、エコランＥＣＵ１０は車両のアイドリングストップ時間を検出する。そして、エコランＥＣＵ１０はそれら検出結果をポイント化し、その積算値がしきい値を超えた際に遅滞なく鉛バッテリ３０にリフレッシュ充電を実行する。このような構成とすることで、エコラン制御中に鉛バッテリが受けた種々の劣化要因を複合的に考慮することができ、より的確にバッテリの劣化具合を認識することができる。そのため、この検出結果に基づいて最適なタイミングでリフレッシュ充電を実行することができる。
【００８９】
特に、上記バッテリ状態検出手段は、バッテリ放電量と、バッテリ電圧降下量と、バッテリＳＯＣ降下量との少なくとも１つを検出し、上記アイドリングストップ履歴情報検出手段は、アイドリングストップ時間を検出することを特徴とする。更に、本実施例の車両制御システム３は、検出されたアイドリングストップ時間を、車両の各電装品の駆動レベルに応じて補正することができる。そのため、補正された積算時間から算出したバッテリ劣化具合と実際の劣化具合との間の誤差をより少なくすることができる。よって、よりバッテリの過放電を抑制できるタイミングでリフレッシュ充電を実施することができ、その結果、バッテリの劣化を効果的に抑制することができる。
【００９０】
エコランＥＣＵ１０の制御の流れに沿って、車両制御システム３の動作を説明する。図１１は、エコランＥＣＵ１０の処理の一例を示すフローチャートである。なお、実施例１と同様の処理については、図面中、同一の参照番号を付し、その詳細な説明は省略する。実施例１と同様に、エコランＥＣＵ１０の制御は、エンジンの始動要求がされると、すなわちイグニッションスイッチがＯＮにされると開始する。
【００９１】
まず、エコランＥＣＵ１０はステップＳ２６で、電圧計３１および電流計３２の検出結果に基づいてバッテリ放電量、電圧降下量、ＳＯＣ降下量を検出する。また、エコランＥＣＵ１０は、車両が実施するアイドリングストップ積算時間を検出する。なお、このフローではバッテリ状態検出手段の検出結果（バッテリ放電量、バッテリ電圧降下量、バッテリＳＯＣ降下量）と、アイドリングストップ履歴情報検出手段の検出結果（アイドリングストップ時間）のすべてに基づきリフレッシュ充電の実行タイミングを判断しているが、これら検出結果のいずれか少なくとも一つに基づいてリフレッシュ充電の実行タイミングを判断してもよい。エコランＥＣＵ１０はステップＳ２６の処理を終えると、つづいてステップＳ２７へ進む。
【００９２】
ステップＳ２７で、エコランＥＣＵ１０は、車両の各電装品の使用レベルに応じて、ステップＳ２６で検出された各検出結果を補正する。図１２は各電装品の使用状況に基づくアイドリングストップ時間の補正の一例である。各電装品は、その使用レベルによって消費電力が異なるため、検出されたアイドリングストップ時間を電装品の使用レベルに応じて補正することで、エコラン制御中におけるバッテリ劣化具合をより正確に認識することができる。例えば、エコラン制御中にエアコンをレベル１で使用している場合、検出されたアイドリングストップ時間に対して補正係数１．２を乗じて得られた値をアイドリングストップ時間として適用し、エアコンをレベル３で使用している場合、補正係数１．６を乗じて得られた値をアイドリングストップ時間として適用する。同様に、エコラン制御中にヒータ、オーディオ、ライト、ワイパー等の電装品を使用している場合、検出されたアイドリングストップ時間に対して各電装品の使用レベルに応じた補正係数を乗じて得られた値を、車両が実施したアイドリングストップ時間として適用する。更に、エコランＥＣＵ１０は、補正された検出結果を鉛バッテリ３０の劣化に及ぼす影響度に応じてポイント化し、次のステップＳ２８へ進む。
【００９３】
ステップＳ２８で、エコランＥＣＵ１０は、ステップＳ２７で求めたポイントを前回のイグニッションＯＦＦ時に保存されたＮＶＲＡＭ７４のデータと合わせた積算ポイントを求める。図１３は各パラメータが鉛バッテリに及ぼす影響度をポイント化した一例である。バッテリ放電量、アイドリングストップ時間、電圧降下量、ＳＯＣ降下量の検出結果がそれぞれ鉛バッテリ３０の劣化に及ぼす影響度を図１３に示すテーブルを参照してポイント化し、それらの積算ポイントを求めることで、エコラン制御中におけるバッテリ劣化具合をより的確に認識することができる。
【００９４】
例えば、検出されたアイドリングストップ時間とバッテリ放電量に対して各電装品の使用レベルに応じた補正係数を乗じて得られた値が、アイドリングストップ２分間、バッテリ放電量１０００［Ａ・ｓｅｃ］である場合、アイドリングストップ４ポイントに放電量１ポイントを加えた計５ポイントを獲得ポイントとして適用する。このように、バッテリ放電量、アイドリングストップ時間、電圧降下量、ＳＯＣ降下量、およびこれまでのポイントやＮＶＲＡＭ７４の保存データをすべて合計したものを積算ポイントとして適用する。
【００９５】
エコランＥＣＵ１０は、ステップＳ２８の処理を終えると、つづいてステップＳ２９へ進む。ステップＳ２９で、エコランＥＣＵ１０は、ステップＳ２８で求めた積算ポイントが第６しきい値に達するか否かを判断する。ここで、第６しきい値は、鉛バッテリ３０の劣化が懸念されるポイントの積算値を適用することができる。検出された鉛バッテリ３０の積算ポイントが第６しきい値に達する場合（ステップＳ２９／ＹＥＳ）、エコランＥＣＵ１０は鉛バッテリ３０が劣化していると判断し、次のステップＳ３０へ進む。積算ポイントが第６しきい値に達しない場合（ステップＳ２９／ＮＯ）は、エコランＥＣＵ１０はステップＳ３２へ進む。
【００９６】
ステップＳ３０で、エコランＥＣＵ１０は、鉛バッテリ３０に対してリフレッシュ充電を実行するよう指示する。そして鉛バッテリ３０は、エコランＥＣＵ１０の指示に基づきリフレッシュ充電を実行する。なお、エコランＥＣＵ１０が鉛バッテリ３０に対して指示するリフレッシュ充電の制御は、実施例１の車両制御システム１と同一であるため、その詳細な説明は省略する。
【００９７】
エコランＥＣＵ１０は、ステップＳ３０の処理を終えると、つづいてステップＳ３１へ進む。ステップＳ３１で、エコランＥＣＵ１０は、ＮＶＲＡＭ７４の保存データおよびエコランＥＣＵ１０の検出結果に基づく積算ポイントを初期化する。この処理によって、鉛バッテリ３０がリフレッシュ充電を実行しバッテリ性能が回復した直後から新たにポイントの積算値をカウントすることができ、バッテリ性能回復後に実施されるエコラン制御による鉛バッテリ３０の劣化をより正確に認識することができる。よって、鉛バッテリ３０の性能が回復した状態での不要なリフレッシュ充電の指示を抑制することができる。エコランＥＣＵ１０はステップＳ３１の処理を終えると、次のステップＳ３２へ進む。
【００９８】
ステップＳ３１の処理を終えると、またはステップＳ２９の判断がＮＯであると、エコランＥＣＵ１０はステップＳ３２へ進む。ステップＳ３２で、エコランＥＣＵ１０は、イグニッションＯＦＦの要求があるか否かについて判断する。イグニッションＯＦＦの要求がある場合（ステップＳ３２／ＹＥＳ）、エコランＥＣＵ１０は次のステップＳ３３に進む。イグニッションＯＦＦの要求がない場合（ステップＳ３２／ＮＯ）、エコランＥＣＵ１０はステップＳ２６に戻り、上記の処理を繰り返す。
【００９９】
ステップＳ３３で、エコランＥＣＵ１０は、ステップＳ３１にて初期化された以降の鉛バッテリ３０の積算ポイント、および鉛バッテリ３０の使用状況をＮＶＲＡＭ７４に保存して、制御の処理を終了する。
【０１００】
次に、本実施例３の車両制御システム３は、実施例１と同様にバッテリ使用状況に応じてリフレッシュ充電実行のしきい値を補正することができるため、バッテリの経時劣化を考慮した最適なタイミングでリフレッシュ充電を実行することができる。図１４はエコランＥＣＵ１０の処理の一例を示すフローチャートである。エコランＥＣＵ１０の制御は、エンジンの始動要求がされると、すなわちイグニッションスイッチがＯＮにされると開始する。まず、エコランＥＣＵ１０はステップＳ３４で、鉛バッテリ３０の状況を検出する。エコランＥＣＵ１０はステップＳ３４の処理を終えると、次のステップＳ３５へ進む。
【０１０１】
ステップＳ３５で、エコランＥＣＵ１０は、鉛バッテリ３０が実行したリフレッシュ充電の実行回数が第７しきい値に達するか否かを判断する。ここで、第７しきい値は、鉛バッテリ３０の経時劣化が懸念されるリフレッシュ充電の実行回数を適用することができる。鉛バッテリ３０が実行したリフレッシュ充電の実行回数が第７しきい値に達する場合（ステップＳ３５／ＹＥＳ）、エコランＥＣＵ１０はステップＳ３７へ進む。鉛バッテリ３０が実行したリフレッシュ充電の実行回数が第７しきい値に達しない場合（ステップＳ３５／ＮＯ）は、エコランＥＣＵ１０は次のステップＳ３６へ進む。
【０１０２】
ステップＳ３６で、エコランＥＣＵ１０は、鉛バッテリ３０の使用期間が第８しきい値に達するか否かを判断する。ここで、第８しきい値は、鉛バッテリ３０の経時劣化が懸念されるバッテリ試用期間を適用することができる。鉛バッテリ３０の使用期間が第８しきい値に達する場合（ステップＳ３６／ＹＥＳ）、エコランＥＣＵ１０は次のステップＳ３７へ進む。鉛バッテリ３０の使用期間が第８しきい値に達しない場合（ステップＳ３６／ＮＯ）は、エコランＥＣＵ１０はステップＳ３８へ進む。
【０１０３】
ステップＳ３７で、エコランＥＣＵ１０は、鉛バッテリ３０が実行したリフレッシュ充電の実行回数および鉛バッテリ３０の使用期間に基づいて、リフレッシュ充電を実行する判断基準となる第６しきい値を補正する。鉛バッテリ３０は、例えば長期間使用された場合や、多数のリフレッシュ充電を行うことにより、バッテリ性能が経時劣化する。そのため、第６しきい値をより低い値に補正して、バッテリ経時劣化が進行した鉛バッテリ３０に対してリフレッシュ充電を実行する頻度を高くすることができる（図６参照）。このように、ステップＳ３７の処理を行うことにより、バッテリの経時劣化を考慮した最適なタイミングでリフレッシュ充電を実行できる第６しきい値を設定することができる。この場合、実施例１と同様に電圧計３１および電流計３２より検出されるバッテリ電圧、放電量から算出されたバッテリ内部抵抗、またはバッテリＳＯＣによって鉛バッテリ３０の経時劣化を確認し、その劣化具合によって第６しきい値を補正することもできる。エコランＥＣＵ１０は、ステップＳ３７の処理を終えると次のステップＳ３８へ進む。
【０１０４】
ステップＳ３８で、エコランＥＣＵ１０は、イグニッションＯＦＦの要求があるか否かについて判断する。イグニッションＯＦＦの要求がない場合（ステップＳ３８／ＮＯ）、エコランＥＣＵ１０はステップＳ３４に戻り、上記の処理を繰り返す。イグニッションＯＦＦの要求がある場合（ステップＳ３８／ＹＥＳ）は、エコランＥＣＵ１０は制御の処理を終了する。
【０１０５】
以上のように、本実施例３の車両制御システム３は、バッテリ放電量、アイドリングストップ時間、電圧降下量、バッテリＳＯＣ降下量の少なくとも一つに基づいて、エコラン制御中の鉛バッテリの劣化具合をポイント化し、そのポイントを積算することでより的確にバッテリの劣化具合を認識することができる。そのため、エコラン制御中に鉛バッテリが受けた種々の劣化要因を複合的に考慮することで最適なタイミングでリフレッシュ充電を行うことができ、エコラン制御を実施する車両に搭載される鉛バッテリの過放電による性能劣化を抑制することができる。
【０１０６】
更に、本実施例３の車両制御システム３は、各検出結果を電装品の使用状況に基づいて補正することにより、エコラン制御中におけるバッテリ劣化具合をより正確に認識することができる。また、実施例２と同様に、各検出手段の検出結果をバッテリ劣化に及ぼす影響度に応じて補正することもできる。
【実施例４】
【０１０７】
続いて、本発明の実施例４について説明する。本実施例の車両制御システム４は、実施例１の車両制御システム１とほぼ同様の構成となっているが、車両制御システム４は、車両制御システム１の各検出手段に加えて補充電実行回数検出手段を備える点で車両制御システム１と相違している。
【０１０８】
本実施例の車両制御システム４は、実施例１と同様に車両内部にエコランＥＣＵ１０を備えている。このエコランＥＣＵ１０が、鉛バッテリ３０の補充電の実行回数を検出する補充電実行回数検出手段に相当する。エコランＥＣＵ１０は、鉛バッテリ３０の補充電実行回数を検出し、その実行回数がしきい値を超えた際に遅滞なく鉛バッテリ３０にリフレッシュ充電を実行する。このような構成とすることで、補充電実行回数からバッテリの性能劣化具合を認識し、バッテリ補充電の実行回数に基づきリフレッシュ充電を実施することで、劣化したバッテリの性能を回復させることができる。よって、エコラン制御を実施する車両のバッテリ劣化を効果的に抑制することができる。
【０１０９】
エコランＥＣＵ１０の制御の流れに沿って、車両制御システム４の動作を説明する。図１５は、エコランＥＣＵ１０の処理の一例を示すフローチャートである。なお、実施例１と同様の処理については、図面中、同一の参照番号を付し、その詳細な説明は省略する。実施例１と同様に、エコランＥＣＵ１０の制御は、エンジンの始動要求がされると、すなわちイグニッションスイッチがＯＮにされると開始する。
【０１１０】
まず、エコランＥＣＵ１０はステップＳ３９で、鉛バッテリ３０の補充電実行条件が成立したか否かを判断する。補充電実行条件が成立した場合（ステップＳ３９／ＹＥＳ）、エコランＥＣＵ１０は次のステップＳ４０へ進む。補充電実行条件が成立していない場合（ステップＳ３９／ＮＯ）は、エコランＥＣＵ１０は鉛バッテリ３０の補充電実行条件が成立するまでステップＳ３９の処理を繰り返す。
【０１１１】
ステップＳ４０で、エコランＥＣＵ１０は、鉛バッテリ３０の補充電実行要求を検出し、補充電実行回数のカウンタをカウントアップする。エコランＥＣＵ１０はステップＳ４０の処理を終えると、つづいてステップＳ４１へ進む。
【０１１２】
ステップＳ４１で、エコランＥＣＵ１０は、補充電実行回数のカウント値が第９しきい値に達したか否かを判断する。ここで、第９しきい値は、鉛バッテリ３０の劣化が懸念される補充電の実行回数を適用することができる。補充電の実行回数のカウント値が第９しきい値に達した場合（ステップＳ４１／ＹＥＳ）、エコランＥＣＵ１０は鉛バッテリ３０の性能が劣化しているものと判断し、ステップＳ４３へ進む。補充電の実行回数のカウント値が第９しきい値に達していない場合（ステップＳ４１／ＮＯ）は、エコランＥＣＵ１０は次のステップＳ４２へ進み、鉛バッテリ３０の補充電を実行した後に、ステップＳ４５へ進む。
【０１１３】
ステップＳ４３で、エコランＥＣＵ１０は、鉛バッテリ３０に対してリフレッシュ充電の実行を指示し、そして鉛バッテリ３０は、エコランＥＣＵ１０の指示に基づきリフレッシュ充電を実行する。なお、エコランＥＣＵ１０が鉛バッテリ３０に対して指示するリフレッシュ充電の制御は、実施例１の車両制御システム１と同一であるため、その詳細な説明は省略する。
【０１１４】
エコランＥＣＵ１０は、ステップＳ４３の処理を終えると、つづいてステップＳ４４へ進む。ステップＳ４４で、エコランＥＣＵ１０は、エコランＥＣＵ１０の検出結果に基づく鉛バッテリ３０の補充電実行回数のカウント値を初期化する。この処理によって、鉛バッテリ３０がリフレッシュ充電を実行した直後から新たに補充電の実行回数をカウントすることができ、バッテリ性能が回復した後からの鉛バッテリ３０の劣化をより正確に認識することができる。よって、鉛バッテリ３０の性能が劣化する前の状態での不要なリフレッシュ充電の指示を抑制することができる。エコランＥＣＵ１０はステップＳ４４の処理を終えると、次のステップＳ４５へ進む。
【０１１５】
ステップＳ４５で、エコランＥＣＵ１０は、イグニッションＯＦＦの要求があるか否かについて判断する。イグニッションＯＦＦの要求がある場合（ステップＳ４５／ＹＥＳ）、エコランＥＣＵ１０は次のステップＳ４６に進む。イグニッションＯＦＦの要求がない場合（ステップＳ４５／ＮＯ）は、エコランＥＣＵ１０はステップＳ３９に戻り、上記の処理を繰り返す。
【０１１６】
ステップＳ４６で、エコランＥＣＵ１０は、ステップＳ４４にて初期化された以降の車両の補充電実行回数カウント値、および鉛バッテリ３０の使用状況をＮＶＲＡＭ７４に保存して、制御の処理を終了する。
【０１１７】
次に、本実施例４の車両制御システム４は、実施例１と同様にバッテリ使用状況に応じてリフレッシュ充電実行のしきい値を補正することができるため、バッテリの経時劣化を考慮した最適なタイミングでリフレッシュ充電を実行することができる。図１６はエコランＥＣＵ１０の処理の一例を示すフローチャートである。エコランＥＣＵ１０の制御は、エンジンの始動要求がされると、すなわちイグニッションスイッチがＯＮにされると開始する。まず、エコランＥＣＵ１０はステップＳ４７で、鉛バッテリ３０の状況を検出する。エコランＥＣＵ１０はステップＳ４７の処理を終えると、次のステップＳ４８へ進む。
【０１１８】
ステップＳ４８で、エコランＥＣＵ１０は、鉛バッテリ３０が実行したリフレッシュ充電の実行回数が第１０しきい値に達するか否かを判断する。ここで、第１０しきい値は、鉛バッテリ３０の経時劣化が懸念されるリフレッシュ充電の実行回数を適用することができる。鉛バッテリ３０が実行したリフレッシュ充電の実行回数が第１０しきい値に達する場合（ステップＳ４８／ＹＥＳ）、エコランＥＣＵ１０はステップＳ５０へ進む。鉛バッテリ３０が実行したリフレッシュ充電の実行回数が第１０しきい値に達しない場合（ステップＳ４８／ＮＯ）は、エコランＥＣＵ１０は次のステップＳ４９へ進む。
【０１１９】
ステップＳ４９で、エコランＥＣＵ１０は、鉛バッテリ３０の使用期間が第１１しきい値に達するか否かを判断する。ここで、第１１しきい値は、鉛バッテリ３０の経時劣化が懸念されるバッテリ試用期間を適用することができる。鉛バッテリ３０の使用期間が第１１しきい値に達する場合（ステップＳ４９／ＹＥＳ）、エコランＥＣＵ１０は次のステップＳ５０へ進む。鉛バッテリ３０の使用期間が第１１しきい値に達しない場合（ステップＳ４９／ＮＯ）は、エコランＥＣＵ１０はステップＳ５１へ進む。
【０１２０】
ステップＳ５０で、エコランＥＣＵ１０は、鉛バッテリ３０が実行したリフレッシュ充電の実行回数および鉛バッテリ３０の使用期間に基づいて、リフレッシュ充電を実行する判断基準となる第９しきい値を補正する。鉛バッテリ３０は、例えば長期間使用したり、多数のリフレッシュ充電が実行されたりすることで、バッテリ性能が徐々に経時劣化する。そのため、第９しきい値をより低い値に補正して、バッテリ経時劣化が進行した鉛バッテリ３０に対してリフレッシュ充電を実行する頻度を高くすることができる（図６参照）。このように、ステップＳ５０の処理を行うことにより、実施例１と同様にバッテリの経時劣化を考慮した最適なタイミングでリフレッシュ充電を実行できる第９しきい値を設定することができる。この場合、例えば電圧計３１および電流計３２より検出されるバッテリ電圧、放電量から算出されたバッテリ内部抵抗、およびバッテリＳＯＣによって鉛バッテリ３０の経時劣化を確認し、その劣化具合によって第９しきい値を補正することもできる。エコランＥＣＵ１０は、ステップＳ５０の処理を終えると次のステップＳ５１へ進む。
【０１２１】
ステップＳ５１で、エコランＥＣＵ１０は、イグニッションＯＦＦの要求があるか否かについて判断する。イグニッションＯＦＦの要求がない場合（ステップＳ５１／ＮＯ）、エコランＥＣＵ１０はステップＳ４７に戻り、上記の処理を繰り返す。イグニッションＯＦＦの要求がある場合（ステップＳ５１／ＹＥＳ）、エコランＥＣＵ１０は制御の処理を終了する。
【０１２２】
以上のように、本実施例４の車両制御システム４は、鉛バッテリ３０の補充電実行回数のカウント値に基づき、最適なタイミングで鉛バッテリ３０にリフレッシュ充電を行うことによって、鉛バッテリ３０へのサルフェーション発生を抑制することができる。そのため、エコラン制御を実施する車両に搭載される鉛バッテリの過放電による性能劣化を抑制することができる。
【０１２３】
上記実施例は本発明を実施するための一例にすぎない。よって本発明はこれらに限定されるものではなく、特許請求の範囲に記載された本発明の要旨の範囲内において、種々の変形・変更が可能である。
【０１２４】
例えば、エコランＥＣＵ１０は、鉛バッテリ３０の制御を、電圧計３１、電流計３２の検出結果に基づき算出したバッテリ内部抵抗や、鉛バッテリ３０の温度（外部温度または液温度）の検出結果に基づいて行うこともできる。
【０１２５】
更に、本発明のエコラン制御装置は、これら複数の検出手段を組み合わせて適用することができ、それらより得られる検出結果に基づいて鉛バッテリ３０の強制充電の実行を制御することもできる。
【符号の説明】
【０１２６】
１  車両制御システム
１０  エコランＥＣＵ（バッテリ制御手段）
１１  電源ライン
１２  トランジスタ
１３  配線
１４  キーＳＷ
１５  ニュートラルＳＷ
１６  スタータリレイ
１７  スタータモータ
１８  オルタネータ
２１  エンジンＥＣＵ
３０  鉛バッテリ
３１  電圧計
３２  電流計
７１  ＣＰＵ
７２  ＲＯＭ
７３  ＲＡＭ
７４  ＮＶＲＡＭ
【図１】
2010247556.tif 000003
【図２】
2010247556.tif 000004
【図３】
2010247556.tif 000005
【図４】
2010247556.tif 000006
【図５】
2010247556.tif 000007
【図６】
2010247556.tif 000008
【図７】
2010247556.tif 000009
【図８】
2010247556.tif 000010
【図９】
2010247556.tif 000011
【図１０】
2010247556.tif 000012
【図１１】
2010247556.tif 000013
【図１２】
2010247556.tif 000014
【図１３】
2010247556.tif 000015
【図１４】
2010247556.tif 000016
【図１５】
2010247556.tif 000017
【図１６】
2010247556.tif 000018